(57)【特許請求の範囲】
【請求項１】
ユーザの主観的な状態を示す情報であって前記ユーザにより入力された複数の第１の情報と、前記ユーザの客観的な状態を示す情報であって前記ユーザを測定することで値として得られた１又は複数の第２の情報との相関を求める相関演算部と、
前記複数の第１の情報のうち、特定第１の情報として、前記第２の情報との相関が最も高い第１の情報を少なくとも抽出する特定情報抽出部と、
前記特定第１の情報と前記第２の情報とを同時に表示するための調整を行う表示調整部と
を備える情報処理装置。
【請求項２】
前記表示調整部は、前記第２の情報の示す測定結果が最も良い状態を示す場合における前記特定第１の情報の値を少なくとも表示させる
請求項１に記載の情報処理装置。
【請求項３】
前記表示調整部は、前記特定第１の情報と前記第２の情報との相関が正の相関である場合、前記特定第１の情報と前記第２の情報を第１の表示形態で表示させ、前記特定第１の情報と前記第２の情報との相関が負の相関である場合、前記特定第１の情報と前記第２の情報を第２の表示形態で表示させる
請求項１又は２に記載の情報処理装置。
【請求項４】
前記表示調整部は、前記特定第１の情報と前記第２の情報を時系列で表示させる
請求項１乃至３のいずれかに記載の情報処理装置。
【請求項５】
前記表示調整部は、時系列の前記第２の情報における所定の時間単位ごとの変化量が所定の閾値を超える場合に、前記第２の情報の値を強調表示で表示させる
請求項４に記載の情報処理装置。
【請求項６】
前記表示調整部は、前記第２の情報の変化量が正の値になる場合と、前記第２の情報の変化量が負の値になる場合とでは、異なる強調表示になるようにする
請求項５に記載の情報処理装置。
【請求項７】
前記表示調整部は、時系列の前記第２の情報における所定の時間単位ごとの変化量が所定の閾値を超える場合に、前記特定第１の情報の値を表示させる
請求項４に記載の情報処理装置。
【請求項８】
前記特定情報抽出部は、前記複数の第１の情報のうち、前記特定第１の情報として、前記第２の情報との相関のない第１の情報を抽出する
請求項１に記載の情報処理装置。
【請求項９】
前記特定情報抽出部は、前記複数の第１の情報のうち、前記特定第１の情報として、前記第２の情報との相関が高いＮ個（Ｎは２以上の整数）の第１の情報を抽出する
請求項１に記載の情報処理装置。
【請求項１０】
前記特定第１の情報は、前記第２の情報との相関が高い前記複数の第１の情報のうち、上位又は下位のＮ個の第１の情報である
請求項９に記載の情報処理装置。
【請求項１１】
前記表示調整部は、前記特定第１の情報と前記第２の情報を時系列で表示させる
請求項８乃至１０のいずれかに記載の情報処理装置。
【請求項１２】
前記表示調整部は、前記特定第１の情報と前記第２の情報を、それらの情報のスコア値を縦軸にとって、時間軸を横軸にとった平面上に折れ線グラフで表示させる
請求項４又は１１に記載の情報処理装置。
【請求項１３】
前記表示調整部は、前記特定第１の情報と前記第２の情報を、それらの情報のスコア値を縦軸と横軸にとった散布図で表示させる
請求項１に記載の情報処理装置。
【請求項１４】
前記特定情報抽出部は、前記複数の第１の情報のうち、前記特定第１の情報として、あらかじめ定められた第１の情報又は前記ユーザにより指定された第１の情報を抽出する
請求項１乃至１３のいずれかに記載の情報処理装置。
【請求項１５】
前記第１の情報は、前記ユーザの現状の状態を入力した情報であり、
前記第２の情報は、前記ユーザの肌の状態の測定結果を示す情報である
請求項１乃至１４のいずれかに記載の情報処理装置。
【請求項１６】
前記ユーザの現状の状態を示す前記第１の情報を入力する入力部と、
前記表示調整部により調整された、前記ユーザの現状の状態を示す前記特定第１の情報と、前記ユーザの肌の状態を示す前記第２の情報とを同時に表示する表示部と
をさらに備える請求項１５に記載の情報処理装置。
【請求項１７】
前記ユーザの肌の状態を測定する測定部をさらに備える
請求項１６に記載の情報処理装置。
【請求項１８】
情報処理装置の情報処理方法において、
前記情報処理装置が、
ユーザの主観的な状態を示す情報であって前記ユーザにより入力された複数の第１の情報と、前記ユーザの客観的な状態を示す情報であって前記ユーザを測定することで値として得られた１又は複数の第２の情報との相関を求め、
前記複数の第１の情報のうち、特定第１の情報として、前記第２の情報との相関が最も高い第１の情報を少なくとも抽出し、
前記特定第１の情報と前記第２の情報とを同時に表示するための調整を行う
ステップを含む情報処理方法。
【請求項１９】
端末装置と、前記端末装置に接続された測定装置と、前記端末装置とネットワークを介して通信を行う情報処理装置とからなる情報処理システムにおいて、
前記測定装置は、
ユーザを測定する測定部を備え、
前記端末装置は、
前記ユーザにより操作される入力部と、
各種の情報を表示する表示部と
を備え、
前記情報処理装置は、
前記ユーザの主観的な状態を示す情報であって前記入力部に対する前記ユーザの操作により入力された複数の第１の情報と、前記ユーザの客観的な状態を示す情報であって前記測定部により前記ユーザを測定することで値として得られた１又は複数の第２の情報との相関を求める相関演算部と、
前記複数の第１の情報のうち、特定第１の情報として、前記第２の情報との相関が最も高い第１の情報を少なくとも抽出する特定情報抽出部と、
前記特定第１の情報と前記第２の情報とを同時に表示するための調整を行う表示調整部と
を備え、
前記表示部は、前記表示調整部により調整された前記特定第１の情報と前記第２の情報とを同時に表示する
情報処理システム。
【発明の詳細な説明】
【技術分野】
【０００１】
本技術は、情報処理装置、情報処理方法、及び、情報処理システムに関し、特に、ユーザに対して有用な情報を提示することができるようにした情報処理装置、情報処理方法、及び、情報処理システムに関する。
【背景技術】
【０００２】
近年、美容分野においても情報技術の導入が積極的に進められており、例えば、ユーザに対して肌の状態を提示したり、美容アドバイスを行ったりするための各種の技術が提案されている。【０００３】
例えば、特許文献１には、ユーザを撮影して得られる顔画像を用いて肌の状態の解析を行い、その解析により得られる測定結果を、ユーザ情報や測定日時に対応させて蓄積し、ユーザごとに、各測定日時の測定結果を提示する技術が開示されている（例えば、第１０図、第１４図参照）。【０００４】
また、例えば、特許文献２には、ユーザによる自身の状態の入力結果に応じた美容アドバイスを提示する技術が開示されている（例えば、第５図、第６図参照）。
【先行技術文献】
【特許文献】
【０００５】
【特許文献１】特開２００７−１５２０８４号公報
【特許文献２】特開２００２−２０７８２７号公報
【発明の概要】
【発明が解決しようとする課題】
【０００６】
ところで、特許文献１に開示されている技術は、測定日時ごとの測定結果を提示するものであって、ユーザにより入力された自身の状態との関連性を提示するものではない。また、特許文献２に開示されている技術は、ユーザにより入力された自身の状態に応じた美容アドバイスを提示するものであって、ユーザを測定した結果得られる測定結果との関連性を提示するものではない。【０００７】
すなわち、これらの特許文献に開示された技術では、ユーザの主観的な状態を示す入力データが、ユーザの客観的な状態を示す測定データに関連付けられていないため、ユーザの実感が測定データと結びついておらず、ユーザに対して有用な情報を提示しているとは言えなかった。【０００８】
本技術はこのような状況に鑑みてなされたものであり、ユーザの主観的な状態を示す入力データと、ユーザの客観的な状態を示す測定データとを結び付けることで、ユーザに対して有用な情報を提示することができるようにするものである。
【課題を解決するための手段】
【０００９】
本技術の第１の側面の情報処理装置は、ユーザの主観的な状態を示す情報であって前記ユーザにより入力された複数の第１の情報と、前記ユーザの客観的な状態を示す情報であって前記ユーザを測定することで値として得られた１又は複数の第２の情報との相関を求める相関演算部と、前記複数の第１の情報のうち、特定第１の情報として、前記第２の情報との相関が最も高い第１の情報を少なくとも抽出する特定情報抽出部と、前記特定第１の情報と前記第２の情報とを同時に表示するための調整を行う表示調整部とを備える情報処理装置である。
【００１０】
前記表示調整部は、前記第２の情報の示す測定結果が最も良い状態を示す場合における前記特定第１の情報の値を少なくとも表示させる。【００１１】
前記表示調整部は、前記特定第１の情報と前記第２の情報との相関が正の相関である場合、前記特定第１の情報と前記第２の情報を第１の表示形態で表示させ、前記特定第１の情報と前記第２の情報との相関が負の相関である場合、前記特定第１の情報と前記第２の情報を第２の表示形態で表示させる。【００１２】
前記表示調整部は、前記特定第１の情報と前記第２の情報を時系列で表示させる。【００１３】
前記表示調整部は、時系列の前記第２の情報における所定の時間単位ごとの変化量が所定の閾値を超える場合に、前記第２の情報の値を強調表示で表示させる。【００１４】
前記表示調整部は、前記第２の情報の変化量が正の値になる場合と、前記第２の情報の変化量が負の値になる場合とでは、異なる強調表示になるようにする。【００１５】
前記表示調整部は、時系列の前記第２の情報における所定の時間単位ごとの変化量が所定の閾値を超える場合に、前記特定第１の情報の値を表示させる。【００１６】
前記特定情報抽出部は、前記複数の第１の情報のうち、前記特定第１の情報として、前記第２の情報との相関のない第１の情報を抽出する。【００１７】
前記特定情報抽出部は、前記複数の第１の情報のうち、前記特定第１の情報として、前記第２の情報との相関が高いＮ個（Ｎは２以上の整数）の第１の情報を抽出する。【００１８】
前記特定第１の情報は、前記第２の情報との相関が高い前記複数の第１の情報のうち、上位又は下位のＮ個の第１の情報である。【００１９】
前記表示調整部は、前記特定第１の情報と前記第２の情報を時系列で表示させる。【００２０】
前記表示調整部は、前記特定第１の情報と前記第２の情報を、それらの情報のスコア値を縦軸にとって、時間軸を横軸にとった平面上に折れ線グラフで表示させる。【００２１】
前記表示調整部は、前記特定第１の情報と前記第２の情報を、それらの情報のスコア値を縦軸と横軸にとった散布図で表示させる。【００２２】
前記特定情報抽出部は、前記複数の第１の情報のうち、前記特定第１の情報として、あらかじめ定められた第１の情報又は前記ユーザにより指定された第１の情報を抽出する。
【００２３】
前記第１の情報は、前記ユーザの現状の状態を入力した情報であり、前記第２の情報は、前記ユーザの肌の状態の測定結果を示す情報である。【００２４】
前記ユーザの現状の状態を示す前記第１の情報を入力する入力部と、前記表示調整部により調整された、前記ユーザの現状の状態を示す前記特定第１の情報と、前記ユーザの肌の状態を示す前記第２の情報とを同時に表示する表示部とをさらに備える。【００２５】
前記ユーザの肌の状態を測定する測定部をさらに備える。【００２６】
本技術の第１の側面の情報処理方法は、上述した本技術の第１の側面の情報処理装置に対応する情報処理方法である。【００２７】
本技術の第１の側面の情報処理装置及び情報処理方法においては、ユーザの主観的な状態を示す情報であって前記ユーザにより入力された複数の第１の情報と、前記ユーザの客観的な状態を示す情報であって前記ユーザを測定することで値として得られた１又は複数の第２の情報との相関が求められ、前記複数の第１の情報のうち、特定第１の情報として、前記第２の情報との相関が最も高い第１の情報が少なくとも抽出され、前記特定第１の情報と前記第２の情報とを同時に表示するための調整が行われる。
【００２８】
本技術の第２の側面の情報処理システムは、端末装置と、前記端末装置に接続された測定装置と、前記端末装置とネットワークを介して通信を行う情報処理装置とからなる情報処理システムにおいて、前記測定装置は、ユーザを測定する測定部を備え、前記端末装置は、前記ユーザにより操作される入力部と、各種の情報を表示する表示部とを備え、前記情報処理装置は、前記ユーザの主観的な状態を示す情報であって前記入力部に対する前記ユーザの操作により入力された複数の第１の情報と、前記ユーザの客観的な状態を示す情報であって前記測定部により前記ユーザを測定することで値として得られた１又は複数の第２の情報との相関を求める相関演算部と、前記複数の第１の情報のうち、特定第１の情報として、前記第２の情報との相関が最も高い第１の情報を少なくとも抽出する特定情報抽出部と、前記特定第１の情報と前記第２の情報とを同時に表示するための調整を行う表示調整部とを備え、前記表示部は、前記表示調整部により調整された前記特定第１の情報と前記第２の情報とを同時に表示する。
【００２９】
本技術の第２の側面の情報処理システムにおいては、ユーザの主観的な状態を示す情報であって前記ユーザにより入力された複数の第１の情報と、前記ユーザの客観的な状態を示す情報であって前記ユーザを測定することで値として得られた１又は複数の第２の情報との相関が求められ、前記複数の第１の情報のうち、特定第１の情報として、前記第２の情報との相関が最も高い第１の情報が少なくとも抽出され、前記特定第１の情報と前記第２の情報とを同時に表示するための調整が行われる。
【発明の効果】
【００３０】
本技術の第１の側面及び第２の側面によれば、ユーザに対して有用な情報を提示することができる。なお、ここに記載された効果は必ずしも限定されるものではなく、本開示中に記載されたいずれかの効果であってもよい。
【図面の簡単な説明】
【００３１】
【図１】本技術を適用した情報処理システムの一実施の形態の構成を示す図である。
【図２】本技術を適用した端末装置の一実施の形態の構成を示す図である。
【図３】本技術を適用した測定装置の一実施の形態の構成を示す図である。
【図４】本技術を適用した情報処理装置の一実施の形態の構成を示す図である。
【図５】肌分析処理を説明するフローチャートである。
【図６】第１の表示調整処理を説明するフローチャートである。
【図７】第２の表示調整処理を説明するフローチャートである。
【図８】入力画面の表示例を示す図である。
【図９】入力画面の表示例を示す図である。
【図１０】入力画面の表示例を示す図である。
【図１１】分析結果画面の表示例を示す図である。
【図１２】分析結果画面の表示例を示す図である。
【図１３】分析結果画面の表示例を示す図である。
【図１４】分析結果画面の表示例を示す図である。
【図１５】分析結果画面の表示例を示す図である。
【図１６】分析結果画面の表示例を示す図である。
【図１７】分析結果画面の表示例を示す図である。
【図１８】分析結果画面の表示例を示す図である。
【図１９】本技術を適用した情報処理システムの一実施の形態の他の構成を示す図である。
【図２０】本技術を適用した情報処理システムの一実施の形態のさらに他の構成を示す図である。
【図２１】コンピュータの構成例を示す図である。
【発明を実施するための形態】
【００３２】
以下、図面を参照しながら本技術の実施の形態について説明する。
【００３３】
＜第１の実施の形態＞
＜肌分析システムの構成＞
【００３４】
図１は、本技術を適用した情報処理システムの一実施の形態の構成を示す図である。
【００３５】
図１の肌分析システム１は、ユーザの現状の状態（実感）を示す入力データと、ユーザの肌の状態の測定結果を示す測定データとの関係を分析して、それらのデータを結びつけた情報を所定の表示形態で、ユーザに提示するものである。
【００３６】
図１に示すように、肌分析システム１は、端末装置１０、肌測定器２０、分析サーバ３０、及び、アプリケーションサーバ４０から構成される。ただし、端末装置１０と肌測定器２０は、所定の規格に対応したケーブルを介して接続されている。また、端末装置１０と、分析サーバ３０、アプリケーションサーバ４０とは、インターネット９０を介して相互に接続されている。なお、端末装置１０と肌測定器２０は、有線で接続されるほか、例えば、所定の無線通信により接続されるようにしてもよい。また、インターネット９０は、ネットワークの一例であって、例えばLAN（Local Area Network）などの他のネットワークを介して接続されるようにしてもよい。
【００３７】
端末装置１０は、例えば、スマートフォン等の携帯通信端末や、タブレット型コンピュータ等の携帯情報機器などの電子機器である。端末装置１０は、タッチセンサと表示部とが一体化されたタッチパネルを有しており、ユーザの指などによって入力操作が行われると、その入力操作に応じた各種の処理を行う。また、端末装置１０は、インターネット９０を介してアプリケーションサーバ４０にアクセスして、肌分析用アプリケーションをダウンロードする。端末装置１０は、肌分析用アプリケーションの実行中に、ユーザの入力操作に応じた入力データを取得して、インターネット９０を介して分析サーバ３０に送信する。
【００３８】
肌測定器２０は、ユーザの顔を含む被写体を撮影して、その顔画像の画像データを解析して得られる肌の測定データを取得する。肌測定器２０は、測定データを、ケーブルを介して端末装置１０に出力する。端末装置１０は、肌測定器２０から入力される測定データを取得して、インターネット９０を介して分析サーバ３０に送信する。
【００３９】
分析サーバ３０は、端末装置１０から送信される入力データと測定データを、インターネット９０を介して受信する。分析サーバ３０は、端末装置１０からの入力データと測定データとの相関を演算して、その演算結果に応じた表示形態を有する表示データを生成する。ここでは、例えば、複数の入力データのうち、特定入力データとして、測定データとの相関が最も高い入力データが少なくとも抽出され、その特定入力データと測定データとを同時に表示する表示データが生成される。分析サーバ３０は、表示データを、インターネット９０を介して端末装置１０に送信する。
【００４０】
端末装置１０は、分析サーバ３０から送信される表示データを、インターネット９０を介して受信する。端末装置１０は、分析サーバ３０からの表示データに応じた表示形態で、特定入力データと測定データとを同時に、表示部に表示する。
【００４１】
なお、説明の都合上、図１の構成では、インターネット９０に、１台の端末装置１０のみが接続されている例を図示しているが、実際には、アプリケーションサーバ４０から肌分析用アプリケーションをダウンロードした複数台の端末装置１０がインターネット９０に接続して、分析サーバ３０にアクセスすることになる。また、肌分析用アプリケーションは、アプリケーションサーバ４０からダウンロードするのではなく、端末装置１０にあらかじめインストールされていてもよい。
【００４２】
肌分析システム１は、以上のように構成される。
【００４３】
（端末装置の構成）
図２は、本技術を適用した端末装置の一実施の形態の構成を示す図である。
【００４４】
図２に示すように、図１の端末装置１０は、制御部１０１、操作部１０２、タッチパネル１０３、スピーカ１０４、カメラ部１０５、メモリ部１０６、記録部１０７、通信部１０８、接続部１０９、及び、電源部１１０から構成される。
【００４５】
制御部１０１は、端末装置１０の各部の動作を制御する。操作部１０２は、端末装置１０に設けられたボタン等であり、ユーザの操作に応じて操作信号を制御部１０１に供給する。制御部１０１は、操作部１０２からの操作信号に応じて、各部の動作を制御する。
【００４６】
タッチパネル１０３は、表示部１２１と、その画面上に重畳されるタッチセンサ１２２とから構成される。表示部１２１は、液晶ディスプレイ（LCD：Liquid Crystal Display）等で構成され、制御部１０１からの制御に従い、各種の情報を表示する。また、タッチセンサ１２２は、ユーザによりタッチパネル１０３に対して行われる入力操作を、その操作が行われた場所のタッチパネル１０３上での位置とともに検出し、その検出信号を制御部１０１に供給する。
【００４７】
ここで、タッチセンサ１２２によって検出される入力操作には、例えば、ユーザの指をタッチパネル１０３の表面に接触させる操作や、ユーザの指をタッチパネル１０３の表面に接触させたまま移動させる操作、ユーザの指をタッチパネル１０３の表面から離す操作などがある。
【００４８】
スピーカ１０４は、制御部１０１からの制御に従い、音声信号に応じた音声を出力する。カメラ部１０５は、CMOS（Complementary Metal Oxide Semiconductor）イメージセンサ等の固体撮像素子を含んで構成されるカメラである。カメラ部１０５は、制御部１０１からの制御に従い、被写体を撮影して所定の画像処理が施された画像データを、制御部１０１に供給する。
【００４９】
メモリ部１０６は、制御部１０１からの制御に従い、各種のデータを一時的に保持する。記録部１０７は、例えば着脱可能なメモリカードやHDD（Hard Disk Drive）等から構成される。記録部１０７は、制御部１０１からの制御に従い、各種のデータを記録する。
【００５０】
通信部１０８は、制御部１０１からの制御に従い、インターネット９０を介して分析サーバ３０等の各種のサーバとの通信を行い、各種のデータをやりとりする。例えば、通信部１０８は、インターネット９０を介してアプリケーションサーバ４０にアクセスし、肌分析用アプリケーションをダウンロードする。ダウンロードされた肌分析用アプリケーションは、記録部１０７に記録される。また、通信部１０８は、肌分析用アプリケーションの実行中に、タッチパネル１０３に対するユーザの入力操作が行われた場合、タッチセンサ１２２からの検出信号に応じた入力データを、インターネット９０を介して分析サーバ３０に送信する。ただし、ユーザの入力操作は、操作部１０２を介して行われるようにしてもよい。
【００５１】
接続部１０９は、肌測定器２０と所定の規格に対応したケーブルを介して接続される。接続部１０９は、制御部１０１からの制御に従い、肌測定器２０からの測定データを、通信部１０８に供給する。通信部１０８は、肌測定器２０からの測定データを、インターネット９０を介して分析サーバ３０に送信する。
【００５２】
また、通信部１０８は、制御部１０１からの制御に従い、インターネット９０を介して分析サーバ３０から送信される表示データを受信し、表示部１２１に供給する。これにより、表示部１２１には、表示データに応じた表示形態で、特定入力データと測定データとが同時に表示される。
【００５３】
電源部１１０は、蓄電池又は外部電源から得られる電源電力を、制御部１０１を含む端末装置１０の各部に供給する。
【００５４】
以上のように、端末装置１０は、肌分析用アプリケーションが起動された場合に、入力データと測定データを、インターネット９０を介して分析サーバ３０に送信することで、分析サーバ３０による分析結果に応じた表示形態で、特定入力データと測定データとを同時に表示することになる。
【００５５】
（肌測定器の構成）
図３は、本技術を適用した測定装置の一実施の形態の構成を示す図である。
【００５６】
図３に示すように、図１の肌測定器２０は、カメラ部２０１、データ解析部２０２、及び、接続部２０３から構成される。
【００５７】
カメラ部２０１は、CMOSイメージセンサ等の固体撮像素子を含んで構成されるカメラである。カメラ部２０１は、ユーザの顔を含む被写体を撮影して所定の画像処理が施された画像データを、データ解析部２０２に供給する。
【００５８】
データ解析部２０２は、カメラ部２０１から供給される画像データに対し、所定の肌解析処理を施して、肌の測定データを取得する。データ解析部２０２は、解析の結果得られる肌の測定データを接続部２０３に供給する。ここで、肌の測定データとしては、例えば、毛穴やキメ、シミの状態などのユーザの顔画像を解析して得られる肌の状態に関する情報が取得される。
【００５９】
接続部２０３は、端末装置１０と所定の規格に対応したケーブルを介して接続される。接続部２０３は、データ解析部２０２から供給される測定データを、ケーブルを介して端末装置１０に出力する。
【００６０】
以上のように、肌測定器２０は、端末装置１０にて肌分析用アプリケーションが起動された場合に、ユーザの肌を測定して得られる測定データを、端末装置１０に出力することになる。
【００６１】
（分析サーバの構成）
図４は、本技術を適用した情報処理装置の一実施の形態の構成を示す図である。
【００６２】
図４に示すように、図１の分析サーバ３０は、入力データ取得部３０１、測定データ取得部３０２、入力データ蓄積部３０３、測定データ蓄積部３０４、ユーザデータ蓄積部３０５、相関演算部３０６、特定情報抽出部３０７、表示調整部３０８、及び、表示データ出力部３０９から構成される。
【００６３】
ただし、入力データ取得部３０１、測定データ取得部３０２、及び、表示データ出力部３０９は、インターネット９０を介して端末装置１０との通信を行う通信部３１１の一部を構成している。また、入力データ蓄積部３０３、測定データ蓄積部３０４、及び、ユーザデータ蓄積部３０５は、各種のデータを蓄積する蓄積部３１２の一部を構成している。
【００６４】
入力データ取得部３０１は、インターネット９０を介して端末装置１０から送信される入力データを受信し、入力データ蓄積部３０３に供給する。入力データ蓄積部３０３は、入力データ取得部３０１から供給される入力データを順次蓄積する。
【００６５】
測定データ取得部３０２は、インターネット９０を介して端末装置１０から送信される測定データを受信し、測定データ蓄積部３０４に供給する。測定データ蓄積部３０４は、測定データ取得部３０２から供給される測定データを順次蓄積する。なお、測定データ取得部３０２の後段に、データ解析部（不図示）を設けて、図３の肌測定器２０のデータ解析部２０２の代わりに、画像データに対する肌解析処理を行い、それにより得られる肌の測定データが、測定データ蓄積部３０４に蓄積されるようにしてもよい。
【００６６】
ユーザデータ蓄積部３０５は、肌分析用アプリケーションを使用しているユーザに関するユーザデータを蓄積する。ユーザデータは、インターネット９０を介して端末装置１０から登録される。これにより、入力データ蓄積部３０３及び測定データ蓄積部３０４には、ユーザごとの入力データと測定データが時系列で蓄積されることになる。
【００６７】
相関演算部３０６は、入力データ蓄積部３０３に蓄積された複数の入力データと、測定データ蓄積部３０４に蓄積された１又は複数の測定データを取得し、入力データと測定データとの相関を求める。相関演算部３０６は、入力データと測定データとの相関の演算結果を特定情報抽出部３０７に供給する。
【００６８】
特定情報抽出部３０７は、相関演算部３０６から供給される演算結果に従い、複数の入力データのうち、測定データとの相関が最も高い入力データを少なくとも抽出する。特定情報抽出部３０７は、抽出した入力データを、特定入力データとして、表示調整部３０８に供給する。なお、特定情報抽出部３０７は、特定入力データとして、測定データとの相関がない（低い）入力データや、あらかじめ定められた入力データ、ユーザにより指定された入力データなどを抽出することができる。また、特定入力データは、複数抽出することが可能である。
【００６９】
表示調整部３０８は、特定情報抽出部３０７から供給される特定入力データと測定データを用い、端末装置１０側で、特定入力データと測定データとを同時に表示するための調整を行い、その調整の結果得られる表示データを、表示データ出力部３０９に供給する。
【００７０】
表示データ出力部３０９は、表示調整部３０８から供給される表示データを、インターネット９０を介して端末装置１０に送信する。
【００７１】
以上のように、分析サーバ３０は、インターネット９０を介して端末装置１０から受信した入力データと測定データを分析することで、端末装置１０に、その分析結果に応じた表示形態で、特定入力データと測定データとを同時に表示させることになる。
【００７２】
＜肌分析処理＞
【００７３】
次に、図５乃至図７のフローチャートを参照して、肌分析システム１を構成する各装置により実行される肌分析処理について説明する。
【００７４】
（肌分析処理）
図５は、肌分析処理を説明するフローチャートである。この肌分析処理は、例えば、端末装置１０において、ダウンロード済みの肌分析用アプリケーションが起動された場合に実行される（Ｓ１００）。ただし、図５のフローチャートでは、端末装置１０によりステップＳ１００乃至Ｓ１０５の処理が実行され、肌測定器２０によりステップＳ２０１乃至Ｓ２０３の処理が実行され、分析サーバ３０によりステップＳ３０１乃至Ｓ３０６の処理が実行される。
【００７５】
ステップＳ２０１において、肌測定器２０のカメラ部２０１は、ユーザにより所定の操作が行われた場合、ユーザの顔を含む被写体を撮影して、それにより得られる画像データをデータ解析部２０２に供給する。ステップＳ２０２において、データ解析部２０２は、カメラ部２０１により撮影された顔画像の画像データを解析して、その解析の結果得られる肌の測定データを接続部２０３に供給する。この肌解析処理では、例えば毛穴やキメ、シミの状態などのユーザの肌の状態に関する情報が得られる。
【００７６】
ステップＳ２０３において、接続部２０３は、データ解析部２０２からの測定データを、端末装置１０に出力する。端末装置１０においては、肌測定器２０からの測定データが接続部１０９に入力されるので、制御部１０１は、通信部１０８を制御して、肌測定器２０からの測定データを、インターネット９０を介して分析サーバ３０に送信する。
【００７７】
また、端末装置１０においては、肌分析用アプリケーションが起動されると（Ｓ１００）、表示部１２１に、ユーザの実感を入力するための入力画面が表示される（Ｓ１０１）。ステップＳ１０２において、制御部１０１は、タッチパネル１０３を制御して、表示部１２１に表示された入力画面に対して行われるユーザの入力操作を受け付ける。例えば、入力画面には、気分や体調などの基本項目のほか、睡眠や食事、運動などの生活習慣や、スキンケア等の肌活習慣に関する項目を入力するためのGUI（Graphical User Interface）が表示される（例えば、後述する図８乃至図１０の入力画面５００）。
【００７８】
ステップＳ１０３において、制御部１０１は、通信部１０８を制御して、入力画面に対するユーザの入力操作に応じた入力データを、インターネット９０を介して分析サーバ３０に送信する。なお、上述した説明では、測定データを送信した後に入力データを送信するとして説明したが、それらのデータの送信の順序は逆でもよく、また同時であってもよい。
【００７９】
ステップＳ３０１において、分析サーバ３０の入力データ取得部３０１と測定データ取得部３０２は、インターネット９０を介して端末装置１０から送信されてくる入力データと測定データを受信する。そして、端末装置１０からの受信データのうち、入力データは入力データ蓄積部３０３に、測定データは測定データ蓄積部３０４にそれぞれ蓄積される（Ｓ３０２）。
【００８０】
ステップＳ３０３において、相関演算部３０６は、入力データと測定データとの相関を演算する。ここでは、例えば、入力データとして、ユーザの気分・体調、食事回数、睡眠時間が入力された場合、それらの入力データと、測定データが示す肌の状態との相関度が求められる。より具体的には、例えば、相関度の最大値を１とした場合に、気分・体調と肌の状態との相関は0.8，食事回数と肌の状態との相関は0.3，睡眠時間と肌の状態との相関は0.7などのように求めることができる。
【００８１】
ステップＳ３０４において、特定情報抽出部３０７は、相関演算部３０６による相関の演算結果に従い、複数の入力データの中から特定入力データを抽出する。例えば、特定情報抽出部３０７は、複数の入力データのうち、測定データとの相関が最も高い入力データを、特定入力データとして抽出する。上述した例の場合には、気分・体調、食事回数、睡眠時間のうち、相関の最も高い睡眠時間が特定入力データとして抽出されることになる。
【００８２】
ステップＳ３０５において、表示調整部３０８は、表示調整処理を行う。この表示調整処理では、端末装置１０側で、特定入力データと測定データとを同時に表示するための調整が行われ、その調整の結果に応じた表示データが生成される。なお、表示調整処理の詳細については、図６及び図７のフローチャートを参照して後述する。
【００８３】
ステップＳ３０６において、表示データ出力部３０９は、表示調整部３０８により生成された表示データを、インターネット９０を介して端末装置１０に送信する。
【００８４】
ステップＳ１０４において、制御部１０１は、通信部１０８を制御して、インターネット９０を介して分析サーバ３０から送信されてくる表示データを受信する。ステップＳ１０５において、制御部１０１は、分析サーバ３０からの表示データに基づいて、表示データに応じた分析結果画面を、表示部１２１に表示する（例えば、後述する図１１乃至図１８の分析結果画面６００）。
【００８５】
以上、肌分析処理について説明した。
【００８６】
（第１の表示調整処理）
次に、図６のフローチャートを参照して、図５のステップＳ３０５に対応する第１の表示調整処理について説明する。
【００８７】
ステップＳ３２１において、表示調整部３０８は、特定入力データの数値のスケーリングを行う。また、ステップＳ３２２において、表示調整部３０８は、測定データの数値のスケーリングを行う。
【００８８】
例えば、表示調整部３０８は、毛穴やキメ、シミの状態などの測定データが５段階で評価された場合に、朝食、昼食、夕食の３段階で評価される食事回数が特定入力データとして抽出されたとき、それらの評価スケールが異なっているので、測定データの数値を3/5倍するなどして、評価スケールを一致させる。また、例えば、基礎体温などのように、３段階や５段階などの評価では表せない入力データについては、例えば、５段階の評価スケールに合わせて、35.0℃〜37.5℃の範囲を0.5℃刻みで表すことで、スケールを一致させることができる。
【００８９】
ステップＳ３２２の処理が終了すると、処理は、図５のステップＳ３０５に戻り、それ以降の処理が行われる。
【００９０】
以上、第１の表示調整処理においては、特定入力データと、測定データや他の特定入力データとの評価スケールが異なる場合であっても、特定入力データと測定データの数値スケーリングを行い、表示データを調整することで、それらのデータの正確な関連性を示して、ユーザに対して有用な情報を提示することができる。
【００９１】
（第２の表示調整処理）
次に、図７のフローチャートを参照して、図５のステップＳ３０５に対応する第２の表示調整処理について説明する。
【００９２】
ステップＳ３４１において、表示調整部３０８は、時系列の測定データに対する微分処理を行う。ステップＳ３４２において、表示調整部３０８は、ステップＳ３４１の微分処理で得られる微分値が第１の閾値を超えるか否かを判定する。
【００９３】
ステップＳ３４２において、微分値が第１の閾値を超えると判定された場合、処理はステップＳ３４３に進められる。ステップＳ３４３において、表示調整部３０８は、対象の測定データの値が青色で点滅するように表示を調整する。
【００９４】
また、ステップＳ３４２において、微分値が第１の閾値以下であると判定された場合、処理はステップＳ３４４に進められる。ステップＳ３４４において、表示調整部３０８は、ステップＳ３４１の微分処理で得られる微分値が第２の閾値を超えるか否かを判定する。ただし、第１の閾値と第２の閾値は、第１の閾値 ＞ 第２の閾値の関係を満たしている。
【００９５】
ステップＳ３４４において、微分値が第２の閾値以下であると判定された場合、処理はステップＳ３４５に進められる。ステップＳ３４５において、表示調整部３０８は、対象の測定データの値が赤色で点滅するように表示を調整する。
【００９６】
また、ステップＳ３４４において、微分値が第２の閾値を超えると判定された場合、処理はステップＳ３４６に進められる。ステップＳ３４６において、表示調整部３０８は、対象の測定データの値が黒色となるように表示を調整する。
【００９７】
ステップＳ３４３，Ｓ３４５，Ｓ３４６のいずれかの処理が終了すると、処理は、図５のステップＳ３０５に戻り、それ以降の処理が行われる。
【００９８】
以上、第２の表示調整処理においては、時系列で表示される測定データのうち、所定の時間単位ごとの変化量が大きい測定データの値は点滅して強調表示（例えば、青色又は赤色での点滅表示）され、それ以外の変化の少ない測定データの値は通常の状態で表示（例えば、黒色で表示）されることになる。一般的に測定データの変化量が大きい場合、その測定データが有用な情報である可能性が高いが、そのような測定データを点滅させるなどして強調表示させることで、ユーザに強く認識させることができる。
【００９９】
また、所定の時間単位ごとの変化量が大きい測定データのうち、例えば、その変化量が正の値となる測定データの値は青色で点滅する一方、その変化量が負の値となる測定データの値は、赤色で点滅することになる。これにより、例えば、変化量が正の値になるか、負の値になるかによって、その測定データの意味する内容が異なる場合でも、その違いを異なる強調表示によって、ユーザに強く認識させることができる。
【０１００】
なお、上述した説明では、第１の表示調整処理と第２の表示調整処理とは別の処理として説明したが、例えば、測定データの数値のスケーリングを行った後に、時系列の測定データから得られる微分値の閾値判定処理を行うなど、それらの処理を組み合わせることも可能である。また、第１の表示調整処理と第２の表示調整処理は、図５のステップＳ３０５の表示調整処理の一例であって、特定入力データと測定データを同時に、所定の表示形態で表示させるための他の表示調整処理を採用することもできる。
【０１０１】
＜画面の表示例＞
【０１０２】
（入力画面）
図８乃至図１０は、端末装置１０の表示部１２１に表示される入力画面５００の表示例を示している。上述したように、入力画面５００は、端末装置１０において肌分析用アプリケーションが起動され（図５のステップＳ１００）、ユーザにより所定の操作が行われた場合に、表示部１２１に表示される（図５のステップＳ１０１）。
【０１０３】
図８に示すように、入力画面５００には、日付５０１（例えば4/24(火)）が表示されているが、入力画面５００に表示された各項目を入力した後に、保存ボタン５０２を操作することで、その日付５０１の入力データが分析サーバ３０に登録される。また、ユーザは、撮影ボタン５０３を操作することで、自身の肌の撮影を行うことができる。
【０１０４】
例えば、肌測定器２０のカメラ部２０１を、自身の肌に近づけた状態での撮影を行うことで、その日付５０１の測定データが分析サーバ３０に登録される。すなわち、ユーザは毎日、肌分析用アプリケーションを起動して入力画面５００からその日の自身の状態（実感）を入力し、さらに自身の肌の状態を撮影することで、いわば日記のように入力データや測定データを登録することになる。なお、入力画面５００と他の画面は、タブ５０４を操作することで切り替えられる。
【０１０５】
図８に示すように、入力画面５００では、まず、必須の項目となる基本項目を入力することになる。例えば、基本項目では、「気分・体調」、「肌の調子」、「ストレス度」を５段階で選択する。また、「今日のメッセージ」として、任意のメッセージを入力することもできる。
【０１０６】
また、図９に示すように、入力画面５００では、任意の項目として生活習慣を入力することになる。例えば、生活習慣の項目では、「睡眠時間」やその「快眠度」、「食事」や「排便」の有無、「運動」の有無やその「種別」等の運動に関する項目を選択又は入力する。また、「入浴」の種別のほか、女性向けの「生理」や「基礎体温」を選択又は入力する。
【０１０７】
また、図１０に示すように、入力画面５００では、任意の項目として肌活習慣を入力することになる。例えば、肌活習慣の項目では、「スキンケア」や「一汁三菜」などの肌によい習慣に関する項目を５段階で選択する。なお、操作ボタン５０５を操作することで、対象の項目に関するアドバイスを表示することができる。
【０１０８】
以上のように、入力画面５００には、気分や体調などの基本項目のほか、睡眠や食事、運動などの生活習慣や、スキンケア等の肌活習慣に関する項目を入力するためのGUIが表示されるので、ユーザは、タッチパネル１０３を操作して、各項目について現状の自分の状態に応じた主観的な情報（入力データ）を登録することになる。また、ユーザは、肌測定器２０を用い、自身の肌の状態を測定し、自身の肌の状態に応じた客観的な情報（測定データ）を登録することになる。そして、ユーザごとに、これらの入力データや測定データが日々、分析サーバ３０に蓄積されることになる。
【０１０９】
なお、端末装置１０において、例えば、ユーザの指をタッチパネル１０３の表面に接触させたまま下方向から上方向に移動させる操作（いわゆるスワイプ操作）を行うことで、表示部１２１には、図８乃至図１０に示した各入力画面５００が順次表示されることになる。また、図８乃至図１０の入力画面５００は一例であって、基本項目、生活習慣の項目、肌活習慣の項目において他の項目を入力してもよいし、基本項目乃至肌活習慣の項目以外の項目を新たに設けるようにしてもよい。要は、入力データは、ユーザによって入力される主観的な情報であればよく、その内容は任意である。
【０１１０】
（分析結果画面）
図１１乃至図１８は、端末装置１０の表示部１２１に表示される分析結果画面６００の表示例を示している。上述したように、分析結果画面６００は、端末装置１０において肌分析アプリケーションが起動され（図５のステップＳ１００）、ユーザにより所定の操作が行われた場合に、表示部１２１に表示される（図５のステップＳ１０５）。ただし、図１１乃至図１８の分析結果画面６００では、測定データとして、「毛穴」、「キメ」、及び、「シミ」を示す情報が測定され、入力データとして、「快眠度」、「気分・体調」、「入浴」、及び、「基礎体温」を示す情報が入力され、それらのデータの相関が演算されているものとして説明する。
【０１１１】
図１１の分析結果画面６００は、「毛穴」、「キメ」、及び、「シミ」などの測定データの表示例を示している。分析結果画面６００では、タブ６０１を操作することで、日単位、週単位、又は月単位で測定データを表示させることができる。図１１の分析結果画面６００では、14日(日)から20日(土)までの週単位で測定データを表示させている。また、分析結果表示領域６０２には、項目領域６０３内のアクティブな各項目に対応した折れ線グラフが表示されている。
【０１１２】
すなわち、分析サーバ３０においては、各ユーザにより登録された測定データが時系列に蓄積されているので、それらの測定データ等を用いた分析が行われ、その分析結果に応じた表示形態の表示データが生成されることになる。例えば、図１１の分析結果画面６００における「毛穴」、「キメ」、及び、「シミ」の折れ線グラフは、１週間の日にちごとの値が、図中の左側の縦軸で示す５段階のスコアで表されている。
【０１１３】
また、図１２の分析結果画面６００は、「快眠度」、「気分・体調」、「入浴」、及び、「基礎体温」などの入力データのうち、「気分・体調」の表示例を示している。すなわち、分析サーバ３０においては、各ユーザにより登録された入力データが時系列で蓄積されているので、それらの入力データ等を用いた分析が行われ、その分析結果に応じた表示形態の表示データが生成されることになる。例えば、図１２の分析結果画面６００における「気分・体調」の折れ線グラフは、１週間の日にちごとの値が、図中の左側の縦軸で示す５段階のスコアで表されている。
【０１１４】
なお、図１２の分析結果画面６００には示していないが、「快眠度」及び「入浴」の折れ線グラフの各値についても、図中の左側の縦軸で示す５段階のスコアで表されることになる。また、「基礎体温」の折れ線グラフは、図中の右側の縦軸の35.0℃〜37.5℃の基礎体温に応じて表されることになる。
【０１１５】
図１３の分析結果画面６００は、「毛穴」、「キメ」、及び、「シミ」の測定データと、「気分・体調」の特定入力データとを同時に示した場合の表示例を示している。すなわち、分析サーバ３０においては、各ユーザにより登録された入力データと測定データが時系列で蓄積されているので、それらのデータの相関などの分析が行われ、その分析結果に応じた表示形態の表示データが生成されることになる。例えば、図１３の分析結果画面６００では、「毛穴」、「キメ」、及び、「シミ」、並びに、「気分・体調」の折れ線グラフは、１週間の日にちごとに、５段階のスコアで表されている。ここでは、「毛穴」等の客観的な測定データと、「気分・体調」等の主観的な入力データとが同一の５段階で表されているため、ユーザの実感を測定データと結びつけることができている。
【０１１６】
例えば、図１３の分析結果画面６００において、20日(土)の分析結果に注目すれば、「毛穴」、及び、「キメ」のスコアが、それぞれ、５点、４点と高スコアとなっている。また、このとき、「気分・体調」のスコアも４点と高スコアである。また、17日(水)の分析結果に注目すれば、「キメ」、及び、「シミ」のスコアが、それぞれ、２点、１点と低スコアであるのと同様に、「気分・体調」のスコアも１点と低スコアである。
【０１１７】
すなわち、「毛穴」、「キメ」、及び、「シミ」の測定データの折れ線グラフとともに、それらの測定データと相関が最も高い特定入力データとして、「気分・体調」の折れ線グラフを表示することで、ユーザは、自身の肌の測定結果と、自身の気分や体調とが関連があることを直感的に認識することができる。このように、複数の入力データのうち、測定データとの相関の最も高い特定入力データを抽出して、測定データとともに表示することで、例えば、ユーザは、自身の気分や体調が良い場合には、肌の状態も良いことが分かるなど、ユーザに対して有用な情報を提示することができる。
【０１１８】
図１４の分析結果画面６００は、測定データが示す測定結果が最も良い状態を示す場合における特定入力データの値の表示例を示している。すなわち、分析サーバ３０においては、入力データと測定データとが時系列で蓄積されているので、測定データが示すユーザの肌の状態が最も良い場合において、入力画面５００（図９）により入力された睡眠時間を特定入力データとして抽出して、それをメッセージとして表示させることができる。例えば、図１４の分析結果画面６００には、美容アドバイスとして、「睡眠時間が７時間の時にあなたは、もっとも肌の状態がよいです。」とのメッセージ６１０が表示されている。
【０１１９】
なお、図１４の分析結果画面６００では、メッセージ６１０のみを表示しているが、「毛穴」等の測定データと「快眠度」等の特定入力データの折れ線グラフを、メッセージ６１０と同時に表示させてもよい。
【０１２０】
図１５の分析結果画面６００は、時系列の測定データのうち、所定の時間単位ごとの変化量の大きい測定データを強調表示させる場合の表示例を示している。すなわち、分析サーバ３０においては、第２の表示調整処理（図７）が行われることで、測定データのうち、１日ごとの変化量の大きい測定データの値を強調表示することができる。
【０１２１】
例えば、「シミ」の測定データに注目すれば、19日(金)から20日（土）の間に、そのスコアが２点から４点に大きく増加している。この場合、図中の円Ａで囲まれた20日（土）の「シミ」の測定データの値を青色で点滅させる。一方、「シミ」の測定データは、16日(火)から17日（水）の間に、そのスコアが３点から１点に大きく減少している。この場合、図中の円Ｂで囲まれた17日（水）の「シミ」の測定データの値を赤色で点滅させる。
【０１２２】
このように、時系列の測定データのうち、変化量の大きい測定データを、所定の色で点滅させるなどして強調表示させることで、有用な情報である可能性の高い測定データをユーザに強く認識させることができる。また、変化量の大きい測定データを強調表示するとともに、特定入力データの値も表示されていることから、ユーザは、測定データの変化点における特定入力データの値を確認することができる。
【０１２３】
なお、図１５の分析結果画面６００では、時系列の測定データのうち、変化量の大きい測定データを強調表示させる場合を説明したが、時系列の特定入力データのうち、変化量の大きい特定入力データを強調表示させるようにしてもよい。
【０１２４】
図１６の分析結果画面６００は、測定データと相関のない入力データを表示させる場合の表示例を示している。すなわち、分析サーバ３０においては、入力データと測定データとの相関が求められるので、測定データと相関のない入力データを特定入力データとして抽出して、その相関のない特定入力データを測定データとともに表示させることができる。例えば、図１６の分析結果画面６００には、「毛穴」等の測定データとの相関がない「入浴」が特定入力データとして抽出され、折れ線グラフで表示されている。
【０１２５】
このように、測定データとの相関のない（又は低い）入力データを表示させることで、例えば、あるユーザにとっては、入浴方法は、肌の状態に影響がないことが分かるなど、ユーザに対して、有用な情報を提示することができる。なお、分析サーバ３０は、特定入力データとして、あらかじめ定められた入力データやユーザにより指定された入力データを抽出して、測定データとともに表示させることができる。
【０１２６】
図１７の分析結果画面６００は、測定データと相関の高いＮ個（Ｎは２以上の整数）の入力データを表示させる場合の表示例を示している。すなわち、分析サーバ３０においては、入力データと測定データとの相関が求められるので、測定データと相関の高いＮ個の入力データを特定入力データとして抽出して、Ｎ個の特定入力データを測定データとともに表示させることができる。例えば、図１７の分析結果画面６００では、相関の最も高い「気分・体調」の折れ線グラフとともに、相関が２番目に高い「快眠度」の折れ線グラフが表示されている。
【０１２７】
このように、測定データとの相関の高い複数の特定入力データを表示させることで、例えば、あるユーザにとっては、「気分・体調」と「快眠度」などの複数の自身の状態が、肌の状態に影響することが分かるなど、ユーザに対して、有用な情報を提示することができる。
【０１２８】
なお、図１７の分析結果画面６００では、測定データとの相関の高い入力データのうち、上位のＮ個の入力データを表示させる場合を説明したが、下位のＮ個の入力データを表示させるようにしてもよい。また、測定データとの相関の低い入力データのうち、上位又は下位の入力データを表示させたり、測定データとの相関のないＮ個の入力データを表示させたりするようにしてもよい。
【０１２９】
また、上述した分析結果画面６００では、特定入力データと測定データを、それらのデータのスコア値などを縦軸にとって、時間軸を横軸にとった平面上に折れ線グラフで表示させる場合を説明したが、特定入力データと測定データとを同時に表示するための表示形態は、それに限定されるものではない。例えば、図１８に示すように、分析結果画面６００では、特定入力データと測定データを、それらのデータのスコア値などを縦軸と横軸にとった散布図により表示することもできる。例えば、図１８の分析結果画面６００では、「キメ」や「水分」等の測定データのスコアが高い場合には、「気分・体調」の特定入力データのスコアも高くなる一方、測定データのスコアが低い場合には特定入力データのスコアも低くなることから、ユーザの気分や体調が肌の状態に影響していることが分かる。
【０１３０】
このように、特定入力データと測定データを散布図により表示することで、特定入力データと測定データの分布と相関関係を直感的に把握させることが可能となるため、ユーザに対して、有用な情報を提示することができる。
【０１３１】
なお、図１１乃至図１８の分析結果画面６００は一例であって、分析結果画面６００は、特定入力データと測定データとを同時に表示する他の表示形態からなるようにすることができる。例えば、分析結果画面６００においては、特定入力データと測定データとの相関が正の相関である場合には、特定入力データと測定データを第１の表示形態で表示させ、特定入力データと測定データとの相関が負の相関である場合には、特定入力データと測定データを第２の表示形態で表示させるようにすることができる。例えば、睡眠時間を多くとることで肌の状態が良くなることは、正の相関があると言えるが、ストレスが多くなることで肌の状態が悪くなることは負の相関があると言える。このような場合には、相関の種別に応じて特定入力データと測定データの表示形態を異ならせることで、ユーザは、正の相関と負の相関を直感的に識別することができる。
【０１３２】
＜第２の実施の形態＞
＜肌分析システムの構成＞
【０１３３】
図１９は、本技術を適用した情報処理システムの一実施の形態の他の構成を示す図である。
【０１３４】
図１９の肌分析システム２においては、図１の肌分析システム１と比べて、端末装置１０に肌測定器２０が接続されていない点が異なる。すなわち、図１９の端末装置１０は、肌測定器２０から測定データを取得するのではなく、内蔵するカメラ部１０５により、ユーザの顔を含む被写体を撮影して得られる画像データを用い、所定の肌解析処理を施すことで、肌の測定データを取得する。そして、端末装置１０は、入力データと測定データを、インターネット９０を介して分析サーバ３０に送信することで、分析サーバ３０による分析結果に応じた表示形態で、特定入力データと測定データとを同時に表示することになる。
【０１３５】
以上のように、肌分析システム２では、端末装置１０に内蔵されたカメラ部１０５を用いるため、ユーザは、肌測定器２０を用意する手間を省くことができる。また、肌分析システム２においても、分析サーバ３０による分析結果に応じた表示形態で、特定入力データと測定データとを同時に表示することができるため、ユーザに対して、有用な情報を提示することができる。
【０１３６】
＜第３の実施の形態＞
＜肌分析システムの構成＞
【０１３７】
図２０は、本技術を適用した情報処理システムの一実施の形態のさらに他の構成を示す図である。
【０１３８】
図２０の肌分析システム３においては、図１の肌分析システム１と比べて、インターネット９０に分析サーバ３０が接続されていない点が異なる。肌分析システム３において、端末装置１０は、インターネット９０を介してアプリケーションサーバ４０にアクセスし、肌分析用アプリケーションをダウンロードする。そして、端末装置１０は、肌分析用アプリケーションを起動することで、肌分析処理を実行する。
【０１３９】
ただし、図２０の端末装置１０は、図２に示した構成を有するが、制御部１０１が、図４の相関演算部３０６、特定情報抽出部３０７、及び、表示調整部３０８の有する機能を含み、記録部１０７が、図４の入力データ蓄積部３０３、測定データ蓄積部３０４、及び、ユーザデータ蓄積部３０５の有する機能を含んで構成されている点が異なる。このような構成を有することで、図２０の端末装置１０は、端末装置１０を所持しているユーザの入力データと測定データを分析し、その分析結果に応じた表示形態で、特定入力データと測定データとを同時に表示することができる。
【０１４０】
以上のように、肌分析システム３では、端末装置１０が単独で肌分析処理を実行するため、分析サーバ３０やインターネット９０の負荷の影響を受けることなく、迅速に分析結果を取得することができる。また、肌分析システム３においても、端末装置１０による分析結果に応じた表示形態で、特定入力データと測定データとを同時に表示することができるため、ユーザに対して、有用な情報を提示することができる。
【０１４１】
なお、図２０の肌分析システム３においては、図１９の肌分析システム２と同様に、肌測定器２０の代わりに、端末装置１０に内蔵されたカメラ部１０５からの画像データを用いて、測定データを取得するようにしてもよい。
【０１４２】
以上、本技術では、ユーザにより入力された複数の入力データと、ユーザを測定することで値として得られた１又は複数の測定データとの相関を求めて、複数の入力データのうち、特定入力データとして、測定データとの相関が最も高い入力データを少なくとも抽出し、特定入力データと測定データとを同時に表示するための調整を行う。これにより、ユーザの主観的な状態を示す入力データと、ユーザの客観的な状態を示す測定データとが結び付けられるため、ユーザに対して有用な情報を提示することができる。
【０１４３】
なお、上述した説明では、入力データとして、肌分析用アプリケーションの入力画面５００の生活習慣や肌活習慣などの項目に対する情報を入力し、測定データとして、肌の測定データを測定するとして説明したが、入力データと測定データはそれに限定されるものではなく、他の入力データや他の測定データを用いることができる。
【０１４４】
＜本技術を適用したコンピュータの説明＞
【０１４５】
上述した一連の処理は、ハードウェアにより実行することもできるし、ソフトウェアにより実行することもできる。一連の処理をソフトウェアにより実行する場合には、そのソフトウェアを構成するプログラムが、コンピュータにインストールされる。ここで、コンピュータには、専用のハードウェアに組み込まれているコンピュータや、各種のプログラムをインストールすることで、各種の機能を実行することが可能な、例えば汎用のパーソナルコンピュータなどが含まれる。
【０１４６】
図２１は、上述した一連の処理をプログラムにより実行するコンピュータのハードウェアの構成例を示すブロック図である。
【０１４７】
コンピュータ９００において、CPU（Central Processing Unit）９０１，ROM（Read Only Memory）９０２，RAM（Random Access Memory）９０３は、バス９０４により相互に接続されている。バス９０４には、さらに、入出力インタフェース９０５が接続されている。入出力インタフェース９０５には、入力部９０６、出力部９０７、記録部９０８、通信部９０９、及びドライブ９１０が接続されている。
【０１４８】
入力部９０６は、キーボード、マウス、マイクロフォンなどよりなる。出力部９０７は、ディスプレイ、スピーカなどよりなる。記録部９０８は、ハードディスクや不揮発性のメモリなどよりなる。通信部９０９は、ネットワークインタフェースなどよりなる。ドライブ９１０は、磁気ディスク、光ディスク、光磁気ディスク、又は半導体メモリなどのリムーバブルメディア９１１を駆動する。
【０１４９】
以上のように構成されるコンピュータ９００では、CPU９０１が、例えば、記録部９０８に記憶されているプログラムを、入出力インタフェース９０５及びバス９０４を介して、RAM９０３にロードして実行することにより、上述した一連の処理が行われる。
【０１５０】
コンピュータ９００（CPU９０１）が実行するプログラムは、例えば、パッケージメディア等としてのリムーバブルメディア９１１に記録して提供することができる。また、プログラムは、ローカルエリアネットワーク、インターネット、デジタル衛星放送といった、有線又は無線の伝送媒体を介して提供することができる。
【０１５１】
コンピュータ９００では、プログラムは、リムーバブルメディア９１１をドライブ９１０に装着することにより、入出力インタフェース９０５を介して、記録部９０８にインストールすることができる。また、プログラムは、有線又は無線の伝送媒体を介して、通信部９０９で受信し、記録部９０８にインストールすることができる。その他、プログラムは、ROM９０２や記録部９０８に、あらかじめインストールしておくことができる。
【０１５２】
なお、コンピュータ９００が実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０１５３】
ここで、本明細書において、コンピュータ９００に各種の処理を行わせるためのプログラムを記述する処理ステップは、必ずしもフローチャートとして記載された順序に沿って時系列に処理する必要はなく、並列的あるいは個別に実行される処理（例えば、並列処理あるいはオブジェクトによる処理）も含むものである。また、プログラムは、１のコンピュータにより処理されるものであってもよいし、複数のコンピュータによって分散処理されるものであってもよい。さらに、プログラムは、遠方のコンピュータに転送されて実行されるものであってもよい。
【０１５４】
さらに、本明細書において、システムとは、複数の構成要素（装置、モジュール（部品）等）の集合を意味し、すべての構成要素が同一筐体中にあるか否かは問わない。したがって、別個の筐体に収納され、ネットワークを介して接続されている複数の装置、及び、１つの筐体の中に複数のモジュールが収納されている１つの装置は、いずれも、システムである。
【０１５５】
なお、本技術の実施の形態は、上述した実施の形態に限定されるものではなく、本技術の要旨を逸脱しない範囲において種々の変更が可能である。
【０１５６】
例えば、本技術は、１つの機能を、ネットワークを介して複数の装置で分担、共同して処理するクラウドコンピューティングの構成をとることができる。また、上述のフローチャートで説明した各ステップは、１つの装置で実行する他、複数の装置で分担して実行することができる。さらに、１つのステップに複数の処理が含まれる場合には、その１つのステップに含まれる複数の処理は、１つの装置で実行する他、複数の装置で分担して実行することができる。
【０１５７】
また、本技術は、以下のような構成をとることができる。
【０１５８】
（１）
ユーザにより入力された複数の第１の情報と、前記ユーザを測定することで値として得られた１又は複数の第２の情報との相関を求める相関演算部と、
前記複数の第１の情報のうち、特定第１の情報として、前記第２の情報との相関が最も高い第１の情報を少なくとも抽出する特定情報抽出部と、
前記特定第１の情報と前記第２の情報とを同時に表示するための調整を行う表示調整部と
を備える情報処理装置。
（２）
前記表示調整部は、前記第２の情報の示す測定結果が最も良い状態を示す場合における前記特定第１の情報の値を少なくとも表示させる
（１）に記載の情報処理装置。
（３）
前記表示調整部は、前記特定第１の情報と前記第２の情報との相関が正の相関である場合、前記特定第１の情報と前記第２の情報を第１の表示形態で表示させ、前記特定第１の情報と前記第２の情報との相関が負の相関である場合、前記特定第１の情報と前記第２の情報を第２の表示形態で表示させる
（１）又は（２）に記載の情報処理装置。
（４）
前記表示調整部は、前記特定第１の情報と前記第２の情報を時系列で表示させる
（１）乃至（３）のいずれか一項に記載の情報処理装置。
（５）
前記表示調整部は、時系列の前記第２の情報における所定の時間単位ごとの変化量が所定の閾値を超える場合に、前記第２の情報の値を強調表示で表示させる
（４）に記載の情報処理装置。
（６）
前記表示調整部は、前記第２の情報の変化量が正の値になる場合と、前記第２の情報の変化量が負の値になる場合とでは、異なる強調表示になるようにする
（５）に記載の情報処理装置。
（７）
前記表示調整部は、時系列の前記第２の情報における所定の時間単位ごとの変化量が所定の閾値を超える場合に、前記特定第１の情報の値を表示させる
（４）に記載の情報処理装置。
（８）
前記特定情報抽出部は、前記複数の第１の情報のうち、前記特定第１の情報として、前記第２の情報との相関のない第１の情報を抽出する
（１）に記載の情報処理装置。
（９）
前記特定情報抽出部は、前記複数の第１の情報のうち、前記特定第１の情報として、前記第２の情報との相関が高いＮ個（Ｎは２以上の整数）の第１の情報を抽出する
（１）に記載の情報処理装置。
（１０）
前記特定第１の情報は、前記第２の情報との相関が高い前記複数の第１の情報のうち、上位又は下位のＮ個の第１の情報である
（９）に記載の情報処理装置。
（１１）
前記表示調整部は、前記特定第１の情報と前記第２の情報を時系列で表示させる
（８）乃至（１０）のいずれか一項に記載の情報処理装置。
（１２）
前記表示調整部は、前記特定第１の情報と前記第２の情報を、それらの情報のスコア値を縦軸にとって、時間軸を横軸にとった平面上に折れ線グラフで表示させる
（４）又は（１１）に記載の情報処理装置。
（１３）
前記表示調整部は、前記特定第１の情報と前記第２の情報を、それらの情報のスコア値を縦軸と横軸にとった散布図で表示させる
（１）に記載の情報処理装置。
（１４）
前記特定情報抽出部は、前記複数の第１の情報のうち、前記特定第１の情報として、あらかじめ定められた第１の情報又はユーザにより指定された第１の情報を抽出する
（１）乃至（１３）のいずれか一項に記載の情報処理装置。
（１５）
前記第１の情報は、前記ユーザの現状の状態を入力した情報であり、
前記第２の情報は、前記ユーザの肌の状態の測定結果を示す情報である
（１）乃至（１４）のいずれか一項に記載の情報処理装置。
（１６）
前記ユーザの現状の状態を示す前記第１の情報を入力する入力部と、
前記表示調整部により調整された、前記ユーザの現状の状態を示す前記特定第１の情報と、前記ユーザの肌の状態を示す前記第２の情報とを同時に表示する表示部と
をさらに備える（１５）に記載の情報処理装置。
（１７）
前記ユーザの肌の状態を測定する測定部をさらに備える
（１６）に記載の情報処理装置。
（１８）
情報処理装置の情報処理方法において、
前記情報処理装置が、
ユーザにより入力された複数の第１の情報と、前記ユーザを測定することで値として得られた１又は複数の第２の情報との相関を求め、
前記複数の第１の情報のうち、特定第１の情報として、前記第２の情報との相関が最も高い第１の情報を少なくとも抽出し、
前記特定第１の情報と前記第２の情報とを同時に表示するための調整を行う
ステップを含む情報処理方法。
（１９）
端末装置と、前記端末装置に接続された測定装置と、前記端末装置とネットワークを介して通信を行う情報処理装置とからなる情報処理システムにおいて、
前記測定装置は、
ユーザを測定する測定部を備え、
前記端末装置は、
前記ユーザにより操作される入力部と、
各種の情報を表示する表示部と
を備え、
前記情報処理装置は、
前記入力部に対する前記ユーザの操作により入力された複数の第１の情報と、前記測定部により前記ユーザを測定することで値として得られた１又は複数の第２の情報との相関を求める相関演算部と、
前記複数の第１の情報のうち、特定第１の情報として、前記第２の情報との相関が最も高い第１の情報を少なくとも抽出する特定情報抽出部と、
前記特定第１の情報と前記第２の情報とを同時に表示するための調整を行う表示調整部と
を備え、
前記表示部は、前記表示調整部により調整された前記特定第１の情報と前記第２の情報とを同時に表示する
情報処理システム。
【符号の説明】
【０１５９】
１，２，３  肌分析システム，  １０  端末装置，  ２０  肌測定器，  ３０  分析サーバ，  ４０  アプリケーションサーバ，  ９０  インターネット，  １０１  制御部，  １０３  タッチパネル，  １０５  カメラ部，  １０８  通信部，  １０９  接続部，  １２１  表示部，  １２２  タッチセンサ，  ２０１  カメラ部，  ２０２  データ解析部，  ２０３  接続部，  ３０１  入力データ取得部，  ３０２  測定データ取得部，  ３０３  入力データ蓄積部，  ３０４  測定データ蓄積部，  ３０５  ユーザデータ蓄積部，  ３０６  相関演算部，  ３０７  特定情報抽出部，  ３０８  表示調整部，  ３０９  表示データ出力部，  ３１１  通信部，  ３１２  蓄積部，  ５００  入力画面，  ６００  分析結果画面，  ９００  コンピュータ，  ９０１  CPU
【図１】
0006519798.tif 000002
【図２】
0006519798.tif 000003
【図３】
0006519798.tif 000004
【図４】
0006519798.tif 000005
【図５】
0006519798.tif 000006
【図６】
0006519798.tif 000007
【図７】
0006519798.tif 000008
【図８】
0006519798.tif 000009
【図９】
0006519798.tif 000010
【図１０】
0006519798.tif 000011
【図１１】
0006519798.tif 000012
【図１２】
0006519798.tif 000013
【図１３】
0006519798.tif 000014
【図１４】
0006519798.tif 000015
【図１５】
0006519798.tif 000016
【図１６】
0006519798.tif 000017
【図１７】
0006519798.tif 000018
【図１８】
0006519798.tif 000019
【図１９】
0006519798.tif 000020
【図２０】
0006519798.tif 000021
【図２１】
0006519798.tif 000022